(57)【特許請求の範囲】
【請求項１】
キッチン空間に設置され、左右方向にスライド移動する収納パネルをキッチンカウンターの奥側に備えたシステムキッチンにおいて、
キッチン空間の天井側に、前記収納パネルの上部をランナー部材を介して吊下げ保持するレールを取り付け、
前記レールは、キッチンカウンターの奥側において左右方向に延びる第１レール部と、キッチンカウンターの側方において前記第１レール部の端部から手前側に向かって延びる第２レール部とを含む略Ｌ字状に形成されていて、
前記収納パネルの下端面に走行溝を形成して、この走行溝に磁性部材を設け、
キッチンカウンター側に、前記走行溝に入り込む突出位置と前記走行溝から抜け出す没入位置とに出没動可能な磁性体のガイドピンを前記レールの延在方向に沿って所定の間隔で並設し、
前記ガイドピンおよび前記磁性部材の少なくとも一方が吸引力を持つように磁化されていることを特徴とする、システムキッチン。
【請求項２】
キッチンカウンターの上方に天袋を備え、
前記レールは、前記天袋の下面に取り付けられ、
前記ガイドピンは、キッチンカウンターの上面縁部に沿って設けられたバックガードの上部に設けられている、請求項１に記載のシステムキッチン。
【請求項３】
キッチンカウンターの奥側上方に、キッチン空間に連続する対面空間への開口部を備え、
前記レールは、前記開口部の上縁に取り付けられ、
前記ガイドピンは、前記開口部の下縁に設けられている、請求項１に記載のシステムキッチン。
【請求項４】
前記収納パネルは、キッチン用具を引掛け保持可能な形状に形成されている、請求項１〜３のいずれか１項に記載のシステムキッチン。
【発明の詳細な説明】
【技術分野】
【０００１】
本発明は、キッチンカウンターの奥側に左右方向にスライド移動可能な収納パネルを備えたシステムキッチンに関する。
【背景技術】
【０００２】
従来、キッチン回りを外部から目隠ししたり、キッチン用具などの小物類の収納力を向上させたりする目的で、キッチンカウンターの奥側に左右方向にスライド移動する収納パネルを設けたシステムキッチンが知られている（たとえば、特許文献１参照）。
【０００３】
特許文献１には、キッチンキャビネットの天板と、その天板の上方に設置された照明器具との間にレーニングパネルをスライド自在に設けたキッチンユニットが開示されている。このレーニングパネルは、その上部が照明器具に形成したレールに嵌合し、その下部が照明器具のレールの真下部分に形成した凹溝レールに嵌合することにより、キッチンキャビネットの奥側で左右方向にスライド移動するように構成されている。
【０００４】
一方、本出願人は、吊戸本体を上レールに走行自在に吊下げ保持するとともに、床面に、磁力により突出引退可能なガイドピンを設け、吊戸本体の下端面に形成した走行溝に上記ガイドピンを突出状態で挿入させて吊戸本体の走行ガイドを行わせるように構成した吊戸の下部ガイド装置を提案している（特許文献２参照）。
【特許文献１】特開平１１−２１６０２９号公報
【特許文献２】実開平４−６８１７７号公報
【発明の開示】
【発明が解決しようとする課題】
【０００５】
しかしながら、上記特許文献１に開示された従来のシステムキッチン（キッチンユニット）では、キッチンの水回り周辺を移動するレーニングパネルの下部を凹溝レールにより支持する構成としたので、その凹溝レールに水やゴミ等の異物が滞留することにより、キッチン空間の衛生状態が悪化する場合があるという問題点がある。
【０００６】
なお、パネルの下部を支持する部材を設けずに、上側レールのみでパネルを吊下げ保持する構成も従来提案されているが、パネルがスライド方向と直交する方向に容易に揺動する（がたつく）ので好ましくない。
【０００７】
この発明は、上記のような課題を解決するためになされたものであり、本出願人の提案による吊戸の下部ガイド装置を合理的に利用して、キッチン空間の衛生状態を良好に保つことが可能なシステムキッチンを提供することを目的とする。
【課題を解決するための手段】
【０００８】
上記目的を達成するために、この発明のシステムキッチンは、キッチン空間に設置され、左右方向にスライド移動する収納パネルをキッチンカウンターの奥側に備えたシステムキッチンにおいて、キッチン空間の天井側に、収納パネルの上部をランナー部材を介して吊下げ保持するレールを取り付け、レールは、キッチンカウンターの奥側において左右方向に延びる第１レール部と、キッチンカウンターの側方において第１レール部の端部から手前側に向かって延びる第２レール部とを含む略Ｌ字状に形成されていて、収納パネルの下端面に走行溝を形成して、この走行溝に磁性部材を設け、キッチンカウンター側に、走行溝に入り込む突出位置と走行溝から抜け出す没入位置とに出没動可能な磁性体のガイドピンをレールの延在方向に沿って所定の間隔で並設し、ガイドピンおよび磁性部材の少なくとも一方が吸引力を持つように磁化されていることを特徴とする。
【００１０】
キッチン空間の衛生状態をより良好に保つために、キッチンカウンターの上方に天袋を備え、レールは、天袋の下面に取り付けられ、ガイドピンは、キッチンカウンターの上面縁部に沿って設けられたバックガードの上部に設けられている構成としてもよい。
【００１１】
対面式キッチンにおいて、キッチン空間の衛生状態をより良好に保つために、キッチンカウンターの奥側上方に、キッチン空間に連続する対面空間への開口部を備え、レールは、開口部の上縁に取り付けられ、ガイドピンは、開口部の下縁に設けられている構成としてもよい。
【００１２】
キッチン空間の収納力を容易に向上させるために、収納パネルは、キッチン用具を引掛け保持可能な形状に形成されていることが好ましい。
【発明の効果】
【００１３】
この発明のシステムキッチンによれば、収納パネルの上部を、キッチン空間の天井側に取り付けたレールにより吊下げ保持するとともに、収納パネルの下端面に走行溝を形成し、その走行溝に入り込む突出位置と、走行溝から抜け出す没入位置とに出没動可能なガイドピンをキッチンカウンター側にレールの延在方向に沿って設けることによって、没入位置にあるガイドピンが適宜突出して走行溝に入り込むことにより収納パネルの下部を支持することができるので、常設された凹凸形状のレールにより収納パネルの下部を支持する場合と異なり、キッチンカウンター側に凹凸部が常時存在する状況を回避することができる。これにより、キッチンカウンター側に水やゴミ等の異物が滞留し難くなるので、キッチン空間の衛生状態を良好に保つことができる。また、収納パネルの走行溝に磁性部材を設け、ガイドピンおよび磁性部材の少なくとも一方が吸引力を持つように磁化されるように構成することによって、ガイドピンと磁性部材とが対向したときに、自重により没入位置に没入しているガイドピンを吸引することで突出位置に突出させて収納パネルの走行溝に係合させることができる。また、ガイドピンと磁性部材とが離間したときに、吸引力が解除されることにより突出位置に突出しているガイドピンを自重により再び没入位置に没入させることができる。これらにより、ガイドピンを出没動させるための駆動機構や制御機構などの複雑な機構を用いることなく、ガイドピンと磁性部材との少なくとも一方を磁化させるという簡便な手段を用いるだけで、ガイドピンを適時出没動させることができるので、当該システムキッチンの機構を複雑化させることなく、キッチン空間の衛生状態を良好に保つことができる。
【発明を実施するための最良の形態】
【００１４】
以下、本発明の実施形態を図面に基づいて説明する。
【００１５】
図１は、本発明の一実施形態によるシステムキッチンの全体構成を示した正面図であり、図２は、図１中のＡ−Ａ線に沿った断面図である。また、図３および図４は、図１に示したシステムキッチンの収納パネルの支持構成を示した図である。まず、図１および図２を参照して、本発明の一実施形態によるシステムキッチン１００の全体構成について説明する。
【００１６】
本発明の一実施形態によるシステムキッチン１００は、図１に示すように、左右両側および奥側に壁面１０１、１０２および１０３を有するキッチン空間内に設置されており、壁面１０１および１０２に接触した状態で壁面１０３の天井側に取り付けられたウォールキャビネット１と、壁面１０１〜１０３に接触した状態で床面に設置されたフロアキャビネット２とにより構成されている。
【００１７】
これらのウォールキャビネット１およびフロアキャビネット２は、ユーザのアイレベル（目の高さ位置）に開放空間が形成されるように、上下方向に所定間隔を隔てて対向配置されており、その開放空間に露出した壁面１０３の右寄りの位置には、外部へと通じる窓１０４が設けられている。この窓１０４は、開閉可能に構成されており、キッチン空間に対する灯り取りや換気のための機能を有している。
【００１８】
また、両キャビネット１および２の間には、平板状の収納パネル３が上記アイレベルでスライド移動可能に配設されている。この収納パネル３は、キッチン用具を収納可能であるとともに、窓１０４から差し込む陽光を遮断する機能も有している。
【００１９】
ウォールキャビネット１は、レンジフード１１と、レンジフード１１の右側に連設された天袋１２と、天袋１２の下面奥側（図２参照）に図略の固定具により取り付けられたレール１３とにより構成されている。レンジフード１１は、後述するコンロユニット２２のほぼ真上位置に配置されている。このレンジフード１１には、調理時に発生した熱や煙等をキッチン空間から外部に排出するための図示しない換気手段が内装されている。また、天袋１２は、鍋などの調理器具（キッチン用具）をキッチン空間上部に収納するために設けられており、その前面に４つの扉１４が取り付けられている。
【００２０】
また、レール１３は、上記収納パネル３の上部を支持するために設けられており、後述するキッチンカウンター２６のバックガード３１の真上に位置するように設置されている。このレール１３は、レンジフード１１の左端から天袋１２の右端に亘って延設された第１レール部１３ａと、第１レール部１３ａの右端、すなわち天袋１２の右端奥側から手前方向に延設された第２レール部１３ｂとを含む平面視Ｌ字状に形成されている。第２レール部１３ｂは、壁面１０２に接するように配置されており、収納パネル３の横幅よりもわずかに長くなるように構成されている。
【００２１】
フロアキャビネット２は、左右方向に並設された引出しユニット２１、コンロユニット２２、引出しユニット２３、シンクユニット２４および引出しユニット２５と、これらの５つのユニット２１〜２５の上に載置されるキッチンカウンター２６とにより構成されている。
【００２２】
コンロユニット２２の上部には、調理器２７が嵌め込まれている。また、各ユニット２１〜２５には、鍋などの調理器具（キッチン用具）をキッチン空間下部に収納するための引出し２１ａ、２２ａ、２３ａ、２４ａおよび２５ａが手前側に引出し可能な状態で装着されている。
【００２３】
キッチンカウンター２６は、平面視横長長方形の平板状に形成されており、コンロユニット２２に対応する位置に調理器２７の調理面２８が露出しており、その右方位置にシンク２９が形成されている。なお、シンク２９は、本実施形態では、シンクユニット２４と引出しユニット２５とに亘って形成されている。このシンク２９の奥側の縁部には、水栓３０が設置されている。
【００２４】
また、キッチンカウンター２６の上面には、キッチンカウンター２６と壁面１０２および１０３との間に水が浸入したり食材等が落ち込んだりするのを防止するためのバックガード３１が設置されている。このバックガード３１は、上記レール１３の第１レール部１３ａと対向するようにキッチンカウンター２６上面の奥側縁部に沿って左右方向に延設された第１ガード部３１ａと、レール１３の第２レール部１３ｂと対向するようにキッチンカウンター２６上面の右側縁部に沿って前後方向に延設された第２ガード部３１ｂとを含む平面視Ｌ字状に形成されている。第２ガード部３１ｂは、壁面１０２に接するように配置されている。なお、バックガード３１は、キッチンカウンター２６に一体的に形成されていてもよい。
【００２５】
収納パネル３は、調理器具等の小型のキッチン用具を引っ掛けて保持することが可能な形状を有しており、具体的には、厚み方向に形成された複数の貫通孔が規則的に配列したステンレス製のパンチングボードや、網目構造を有するハンギングネットなどが挙げられる。このような収納パネル３であれば、図３に示すように、端部にフック１１１を有するおたま１１０や、収納部１２１に一対のフック１２２が取り付けられた小型の収納体１２０などを引っ掛けて吊り下げることができるので、キッチン空間の収納力を容易に向上させることができる。なお、収納パネル３は、上記構成以外の、たとえば、奥行の浅い収納棚や遮光機能を有するボードなどであってもよい。
【００２６】
また、収納パネル３は、上述したように、その上部を、天袋１２の下面側に取り付けられたレール１３に支持されており、キッチンカウンター２６の奥側において左右方向にスライド移動するとともに、キッチンカウンター２６の側方において壁面１０２に沿って収納されるように構成されている。
【００２７】
詳細には、収納パネル３の上面のスライド方向両端部には、図３に示すように、それぞれ、ランナー部材４１が取り付けられている。このランナー部材４１は、収納パネル３の本体に対して、鉛直方向の軸心回りに回転可能なように構成されており、図４に示すように、上記レール１３に係合する一対のローラ４２を有している。また、レール１３は、下方に開口する断面略Ｃ字状に形成されており、その断面形状の両端部に、上記ランナー部材４１の一対のローラ４２を転動可能に各々支持するローラ受け部１３ｃを有している。このレール１３のローラ受け部１３ｃの上面がランナー部材４１のローラ４２の周面と係合することによって、レール１３が収納パネル３を走行可能に吊下げ保持するように構成されている。なお、ランナー部材４１は、レール１３に対してわずかな遊びを有した状態で嵌め込まれているため、レール１３内で回転して当該レール１３から脱落することはない。
【００２８】
ここで、本実施形態では、収納パネル３は、図３および図４に示すように、その下端面がキッチンカウンター２６のバックガード３１の上面と対向するように配置されており、当該収納パネル３の下端面には、横幅方向に延びる走行溝３ａが形成されている。この走行溝３ａの内面上部には、他の磁性体を吸引可能なように磁化された磁性部材５１が当該走行溝３ａの形成領域に亘って取り付けられている。なお、磁性部材５１は、走行溝３ａの長さとほぼ一致する長さの薄い磁性プレートであってもよいし、複数の磁性小片であってもよい。
【００２９】
また、本実施形態では、バックガード３１の上面には、複数の収容孔３１ｃ（図４参照）が当該バックガード３１の延設方向に沿って互いに所定間隔を隔てて形成されており、この収容孔３１ｃには、収納パネル３の走行溝３ａと係合して収納パネル３がその厚み方向に揺動する（がたつく）のを抑制する機能を有する円柱形状のガイドピン５２が収容されている。
【００３０】
ガイドピン５２は、磁性体からなり、収容孔３１ｃ内から上方に所定量突出して収納パネル３の走行溝３ａに入り込む突出位置と、走行溝３ａから抜け出して収容孔３１ｃ内に没入する没入位置とに出没動可能なように構成されている。これにより、収納パネル３の走行溝３ａの磁性部材５１とガイドピン５２とが対向したときに、自重により没入位置に没入しているガイドピン５２を磁性部材５１が吸引することで突出位置に突出させて走行溝３ａに係合させるとともに、ガイドピン５２と磁性部材５１とが離間したときに、吸引力が解除されることにより突出位置に突出しているガイドピン５２を自重により再び没入位置に没入させるように構成されている。
【００３１】
上記のようなガイドピン５２を収容した収容孔３１ｃは、左右方向に延びる第１ガード部３１ａにおいては、当該第１ガード部３１ａの右端から収納パネル３の横幅よりも大きい間隔を隔てた位置を起点として左側に、上記収納パネル３の横幅よりも小さい一定の間隔で複数（本実施形態では４つ）設けられている。これにより、収納パネル３がキッチンカウンター２６の奥側右端に位置する際には、収納パネル３の下方にガイドピン５２が配置されないようになっている一方、収納パネル３がキッチンカウンター２６の奥側で左右方向にスライド移動する際には、収納パネル３の下方にガイドピン５２が常に配置されるようになっている。
【００３２】
また、ガイドピン５２を収容した収容孔３１ｃは、前後方向に延びる第２ガード部３１ｂにおいては、当該第２ガード部３１ｂの手前側の端部付近に１つだけ設けられている。この第２ガード部３１ｂに設けられたガイドピン５２は、収納パネル３が第２ガード部３１ｂ上に移動したときに、収納パネル３をキッチンカウンター２６の側方で壁面１０２に沿って固定的に収納するために設けられている。
【００３３】
なお、本実施形態では、収納パネル３の横幅を、第２レール部１３ｂの長さよりもわずかに短くなるように設定したため、ガイドピン５２を第２ガード部３１ｂの端部に１つだけ配置するように構成したが、収納パネル３の横幅が第２レール部１３ｂの長さに比べて十分に短い場合には、ガイドピン５２を第２ガード部３１ｂに適宜増設して、キッチンカウンター２６の側方においても、収納パネル３の揺動（がたつき）を抑えるのが好ましい。
【００３４】
すなわち、上記のようなガイドピン５２の設置箇所や設置間隔、設置数等は一例であって、これに限らず、収納パネル３の下部を適切に支持可能で、収納パネル３がキッチンカウンター２６の奥側と側方との間で容易に旋回移動可能であるならば、どのように設定されていてもよい。
【００３５】
次に、図５〜図７を参照して、収納パネル３のキッチンカウンター２６側方への収納動作について説明する。
【００３６】
まず、図５に示すように、キッチンカウンター２６の奥側にある収納パネル３をキッチンカウンター２６の右端までスライド移動させる。このとき、収納パネル３の移動に伴って、第１ガード部３１ａのガイドピン５２が収納パネル３の走行溝３ａ内に向かって適宜突出することによって、収納パネル３は、その厚み方向に揺動する（がたつく）ことなく安定してスライド移動する。
【００３７】
そして、キッチンカウンター２６の奥側右端に到達した収納パネル３を、図６に示すように、キッチンカウンター２６の右奥隅において時計回りに旋回させる。このとき、収納パネル３の下方にはガイドピン５２が存在していないので、収納パネル３のランナー部材４１を収納パネル３本体に対して回転させながら各レール部１３ａおよび１３ｂに沿って移動させることによって、収納パネル３を容易に旋回させることができる。
【００３８】
そして、収納パネル３を時計回りにほぼ直角に旋回させた後、図７に示すように、キッチンカウンター２６の手前側端部まで移動させることにより、収納パネル３の走行溝３ａ内に第２ガード部３１ｂ端部のガイドピン５２が入り込み、収納パネル３が壁面１０２に沿って固定的に収納される。これにより、キッチン前方のアイレベルでの開放感を十分に確保することができる。なお、上述のように、収納パネル３がキッチンカウンター２６の側方に収納された場合でも、収納パネル３にキッチン用具を吊下げ保持させることが可能である。
【００３９】
本実施形態では、上記のように、収納パネル３の上部を、キッチン空間の天井側に取り付けたレール１３により吊下げ保持するとともに、収納パネル３の下端面に走行溝３ａを形成し、その走行溝３ａに入り込む突出位置と、走行溝３ａから抜け出す没入位置とに出没動可能なガイドピン５２をキッチンカウンター２６側にレール１３の延在方向に沿って設けることによって、没入位置にあるガイドピン５２が走行溝３ａに入り込むことにより収納パネル３の下部を支持することができるので、常設された凹凸形状のレールにより収納パネル３の下部を支持する場合と異なり、キッチンカウンター２６側に凹凸部が常時存在する状況を回避することができる。これにより、キッチンカウンター２６側に水やゴミ等の異物が滞留し難くなるので、キッチン空間の衛生状態を良好に保つことができる。
【００４０】
また、本実施形態では、上記のように、収納パネル３の走行溝３ａに、他の磁性体に対しての吸引力を有するように磁化された磁性部材５１を設けることによって、ガイドピン５２と磁性部材５１とが対向したときに、自重により没入位置に没入しているガイドピン５２を吸引することで突出位置に突出させて収納パネル３の走行溝３ａに係合させることができる。また、ガイドピン５２と磁性部材５１とが離間したときに、吸引力が解除されることにより突出位置に突出しているガイドピン５２を自重により再び没入位置に没入させることができる。これらにより、ガイドピン５２を出没動させるための駆動機構や制御機構などの複雑な機構を用いることなく、磁化された磁性部材５１を用いるだけで、ガイドピン５２を適時出没動させることができるので、当該システムキッチンの機構を複雑化させることなく、キッチン空間の衛生状態を良好に保つことができる。
【００４１】
また、本実施形態では、上記のように、レール１３を平面視Ｌ字状に形成したので、収納パネル３をキッチンカウンター２６の奥側で左右方向にスライド移動させることにより、窓１０４からの陽光を遮断したり、キッチン用具などの小物類の収納力を向上させたりすることができる。また、収納パネル３をキッチンカウンター２６の右奥隅で旋回させることにより、キッチンカウンター２６側方の壁面１０２に沿わせてコンパクトに収納することができるので、キッチン前方のアイレベル（目の高さ位置）での開放感を十分に確保することができる。
【００４２】
また、本実施形態では、上記のように、レール１３を、キッチンカウンター２６の上方の天袋１２の下面に取り付け、ガイドピン５２を、キッチンカウンター２６の上面縁部に沿って設けられたバックガード３１の上部に設けることによって、没入位置のガイドピン５２を収容保持するための収容孔３１ｃをキッチンカウンター２６の上面よりも上方に配設することができるので、上記収容孔３１ｃがキッチンカウンター２６の上面に形成されている場合に比べて、ガイドピン５２の収容孔３１ｃに水やゴミ等の異物が侵入するのをより抑制することができる。これにより、キッチン空間の衛生状態をより良好に保つことができる。
【００４３】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４４】
たとえば、上記実施形態では、収納パネル３の上部を吊下げ支持するレール１３を、左右方向に延びる第１レール部１３ａと前後方向に延びる第２レール部１３ｂとを含む平面視略Ｌ字状に構成する例について示したが、本発明はこれに限らず、レール１３を、左右方向に延びる第１レール部１３ａのみで構成してもよいし、第１レール部１３ａの両端に前後方向に延びる第２レール部１３ｂを設けることにより平面視コの字状となるように構成してもよい。なお、この場合、ガイドピン５２もレール１３の延設方向に沿って適所に設けるのが好ましい。
【００４５】
また、上記実施形態では、図２に示すように、キッチンカウンター２６の奥側に壁面１０３が配置された、いわゆる非対面型のシステムキッチン１００に本発明を適用する例について示したが、本発明はこれに限らず、図８に示すように、キッチンカウンター２６の前方に間仕切り壁１０５が配置され、その間仕切り壁１０５に隣室のリビングへと通じる開口部１０５ａが形成された、いわゆる対面型のシステムキッチン２００にも適用可能である。なお、対面型のシステムキッチン２００では、図８に示すように、キッチンカウンター２６のバックガード３１の上方に、開口部１０５ａの下縁に取り付けられた天板１０６が配設されることがあるが、この場合には、収納パネル３の上部を吊下げ支持するレール１３を開口部１０５ａの上縁１０５ｂに取り付けるとともに、収納パネル３の下部に係合するガイドピン５２を天板１０６の上面に設けるように構成することによって、上記実施形態と同様の効果を得ることができる。また、上述のように、ガイドピン５２を天板１０６の上面に設けることによって、没入位置のガイドピン５２を収容保持するための収容孔（図示せず）をキッチンカウンター２６の上面よりも上方に設けることができるので、上記収容孔がキッチンカウンター２６の上面に形成されている場合に比べて、ガイドピン５２の収容孔に水やゴミ等の異物が侵入するのをより抑制することができる。これにより、キッチン空間の衛生状態をより良好に保つことができる。
【００４６】
また、上記実施形態では、キッチンカウンター２６のバックガード３１の上部にガイドピン５２を設けたが、これに限らず、ガイドピン５２をキッチンカウンター２６の上面に設けてもよい。ただし、キッチンカウンター２６の上面は、調理時の水などが滞留し易いので、ガイドピン５２を収容する収容孔３１ｃの開口縁をキッチンカウンター２６の上面よりも高くなるように盛り上げて形成するのが好ましい。
【００４７】
また、上記実施形態では、収納パネル３の走行溝３ａに取り付けた磁性部材５１を磁化することにより、磁性体のガイドピン５２を突出位置に吸引する例について示したが、本発明はこれに限らず、走行溝３ａの磁性部材５１を磁化せずにガイドピン５２を磁化してもよいし、走行溝３ａの磁性部材５１およびガイドピン５２の両方を磁化してもよい。なお、磁性部材５１およびガイドピン５２の両方を磁化した場合には、双方の磁力の反発特性を利用することによりガイドピン５２を収容孔３１ｃに確実に没入させることができる（特許文献２参照）。
【図面の簡単な説明】
【００４８】
【図１】本発明の一実施形態によるシステムキッチンの全体構成を示した正面図である。
【図２】図１中のＡ−Ａ線に沿った概略断面図である。
【図３】図１に示したシステムキッチンの収納パネルの支持構成を示した正面図である。
【図４】図３中のＢ−Ｂ線に沿った断面図である。
【図５】図３に示した収納パネルのキッチンカウンター側方への収納動作を説明するための平面図である。
【図６】図３に示した収納パネルのキッチンカウンター側方への収納動作を説明するための平面図である。
【図７】図３に示した収納パネルのキッチンカウンター側方への収納動作を説明するための平面図である。
【図８】本発明の変形例によるシステムキッチンを示した図２に対応する概略断面図である。
【符号の説明】
【００４９】
３  収納パネル
３ａ  走行溝
１２  天袋
１３  レール
１３ａ  第１レール部
１３ｂ  第２レール部
２６  キッチンカウンター
３１  バックガード
４１  ランナー部材
５１  磁性部材
５２  ガイドピン
１００、２００  システムキッチン
１０５ａ  開口部
１０５ｂ  上縁
１０６  天板（下縁）
１１０  おたま（キッチン用具）
１２０  収納体（キッチン用具）
【図１】
0004442530.tif 000002
【図２】
0004442530.tif 000003
【図３】
0004442530.tif 000004
【図４】
0004442530.tif 000005
【図５】
0004442530.tif 000006
【図６】
0004442530.tif 000007
【図７】
0004442530.tif 000008
【図８】
0004442530.tif 000009